(57)【要約】【課題】  ポップアップストロボを備えたカメラにおいて、ポップアップストロボユニットとそれに隣接する外装部材の隙間が不均一となり外観品位を損ねてしまう課題があった。【解決手段】  収納状態と起立状態との間を移動可能なポップアップストロボを備えたカメラにおいて、  前記ポップアップストロボは、仮固定手段（１２０−Ｆ１、Ｆ２）によりカメラ本体に対して移動可能に支持されるものであって、前記ポップアップストロボが前記仮固定手段（１２０−Ｆ１、Ｆ２）により前記カメラ本体に対して移動可能に支持されている状態で、第一の外装部材（１０２）が前記カメラ本体に取り付けられる際に、前記ポップアップストロボを前記第一の外装部材（１０２）に対する所定の位置まで移動させるためのガイド部（１０２−ｈ）を備えることを特徴とする。【選択図】  図１５
2009020188.tif 000002
【特許請求の範囲】
【請求項１】
収納状態と起立状態との間を移動可能なポップアップストロボを備えたカメラにおいて、
前記ポップアップストロボは、仮固定手段（１２０−Ｆ１、Ｆ２）によりカメラ本体に対して移動可能に支持されるものであって、
前記ポップアップストロボが前記仮固定手段（１２０−Ｆ１、Ｆ２）により前記カメラ本体に対して移動可能に支持されている状態で、第一の外装部材（１０２）が前記カメラ本体に取り付けられる際に、前記ポップアップストロボを前記第一の外装部材（１０２）に対する所定の位置まで移動させるためのガイド部（１０２−ｈ）を備えることを特徴とするカメラ。
【請求項２】
前記第一の外装部材（１０２）は、前記第一の外装部材（１０２）に備えられているガイド部（１０２−ｈ）により前記ポップアップストロボに隣接する第二の外装部材（１０３）に対して所定の位置まで移動すること、を特徴とする請求項１に記載のカメラ。
【発明の詳細な説明】
【技術分野】
【０００１】
本発明は、収納状態と起立状態との間を移動可能なポップアップストロボを備えたカメラに関するものである。
【背景技術】
【０００２】
従来、ポップアップストロボを備えたデジタルカメラは、可動部ユニットを発光位置側に付勢する付勢部材の付勢力に抗して可動部ユニットを収納待機位置に係止している。そして、モーターにより該係止状態を解除する位置まで移動可能な係止解除部材を、マウント部よりカメラ正面から見て上方でペンタ部より光軸方向前方に配置している。（特許文献１参照）
このように係止解除部材をストロボユニットの回転中心から最も離れた位置に配置することにより、
別途外装部材とストロボユニットとの隙間調整機構を設けることなく隙間一定のストロボユニットを実現しようとしている。
【特許文献１】特開２００５−３２１５６３
【発明の開示】
【発明が解決しようとする課題】
【０００３】
しかしながら上記従来例では、係止解除部材をカメラ本体側に取り付ける構成であったので外装部材との隙間を一定とするにも限界があった。
【０００４】
また、係止解除部材や、係止状態から係止解除状態へ移動させるためのモーター等の駆動部材が必要であった為、カメラの小型化を阻害していた。
【課題を解決するための手段】
【０００５】
本発明のカメラは、収納状態と起立状態との間を移動可能なポップアップストロボを備えたカメラにおいて、前記ポップアップストロボは、仮固定手段（１２０−Ｆ１、Ｆ２）によりカメラ本体に対して移動可能に支持されるものであって、前記ポップアップストロボが前記仮固定手段（１２０−Ｆ１、Ｆ２）により前記カメラ本体に対して移動可能に支持されている状態で、第一の外装部材（１０２）が前記カメラ本体に取り付けられる際に、前記ポップアップストロボを前記第一の外装部材（１０２）に対する所定の位置まで移動させるためのガイド部（１０２−ｈ）を備えることを特徴とする。
【発明の効果】
【０００６】
本発明によれば、従来技術のように別部材を設けること無く極めて簡便な構成にてポップアップストロボとポップアップストロボに隣接する外装部材（第一の外装部材）の隙間を一定にできる。
【０００７】
また、第一の外装部材に対するポップアップストロボユニットの隙間を一定にできるだけでなく、第一の外装部材に対する第二の外装部材の位置ズレに起因する段差等の問題も同時に解決できるので外観品位が向上する。
【発明を実施するための最良の形態】
【０００８】
本発明を電子機器であるところのデジタルカメラに適用した場合の実施形態について詳説する。
【０００９】
図１は本発明を適用したデジタルカメラの実施例におけるカメラ本体の正面図。図２は本発明を適用したデジタルカメラの実施例におけるカメラ本体の背面図。図３は本発明を適用したデジタルカメラの実施例におけるカメラ本体の右側面図。図４は本発明を適用したデジタルカメラの実施例におけるカメラ本体の左側面図。図５は本発明を適用したデジタルカメラの実施例におけるカメラ本体の上面図。図６は本発明を適用したデジタルカメラの実施例におけるカメラ本体の底面図。図７は本発明を適用したデジタルカメラの実施例におけるカメラ本体の正面斜視図。図８は本発明を適用したデジタルカメラの実施例におけるカメラ本体の背面斜視図である。
【００１０】
１０１は撮影光学系を構成している鏡筒。１０２はカメラ上部を覆うように設けられている上カバー。１０３・１０４・１０５はそれぞれ前カバー・背面カバー・側面カバーである。
【００１１】
１０６は各種外部デバイスに接続する為に、硬質プリント基板或いはフレキシブルプリント基板上に実装された端子類を保護するコネクタカバーである。本実施例ではテレビ受信機等の外部映像デバイスに接続する為のアナログビデオ端子、外部直流電源に接続する為の電源端子、ＰＣ等に接続する為のデジタル端子のうち少なくとも一つ又は複数を備えるものとする。
【００１２】
１０７はポップアップストロボであり、図中の収納状態と非図示の起立状態の間で本体に対して移動可能に設けてある。１０８はＡＦ補助光窓。１０９は撮影画像の確認・再生、撮影条件などの各種情報を表示する為の液晶表示装置。１１０は操作ダイヤルであり中央のボタンと周囲のダイヤルから構成されており本ダイヤルは時計・反時計回りに回動可能で且つ上下左右４箇所に対し押し込み操作も可能なものである。
【００１３】
１１１はストラップ紐を通す為の孔を備えたストラップリング、１１３は撮影準備及び撮影開始機能を備えた操作部材である所謂レリーズボタン。１１２は光学式変倍機能或いはデジタル式変倍機能において、その倍率を調節操作する為のズームレバーであり、レリーズボタン１１３の中心に対し回動可能に備えられている。
【００１４】
１１４はカメラ本体の電源のＯＮ／ＯＦＦを行う為のパワーボタンであり、１１５は各種撮影モードを選択する為のモードダイヤル、１１６はカメラ本体に対しスライド及び回動動作が可能な電池蓋である。
【００１５】
１１７は電池蓋１１６の不用意なスライドを抑止する為の電池蓋ロックレバーである。本実施例に於いては常にカメラ後方側へ付勢部材により付勢されており、電池蓋ロックレバー１１７をカメラ前方側へスライド操作することにより電池蓋１１６のスライド動作が許可される構造となっている。
【００１６】
１１８は三脚台に固定する為に備えられた三脚穴、１１９は撮影条件等の各種設定の際に使用する操作ボタン群である。
【００１７】
次に、本実施例におけるポップアップストロボユニットの構成を説明する。
【００１８】
図９は本発明を適用したデジタルカメラの実施例におけるストロボユニット起立状態でのカメラ本体の正面図。図１０は本発明を適用したデジタルカメラの実施例におけるストロボユニット起立状態でのカメラ本体の正面斜視図。
【００１９】
図１８は本発明を適用したデジタルカメラの実施例におけるストロボユニット起立状態での正面斜視図。図１９は本発明を適用したデジタルカメラの実施例におけるストロボユニット起立状態での正面斜視図。図２０は本発明を適用したデジタルカメラの実施例におけるストロボユニット起立状態での右側面図。図２１は本発明を適用したデジタルカメラの実施例におけるストロボユニット起立状態での左側面図。図２２は本発明を適用したデジタルカメラの実施例におけるストロボユニットの正面分解斜視図。
【００２０】
図２３は本発明を適用したデジタルカメラの実施例におけるストロボユニットの背面分解斜視図である。
【００２１】
２０１は発光部ユニットであり、本実施例ではフレネルレンズ、キセノン管、反射傘から構成されている。２０３はストロボユニットを構成する可動部ユニットを保持する固定部材であり、後述する仮固定手段によりデジタルカメラ本体に対して移動可能に支持されている。
【００２２】
２０２は発光部ユニット２０１、トリガーコイル２０９等を保持し、前記固定部材２０３に対して回動可能に支持されている可動部材であり、２０５は回動支持部材であるところのシャフトである。シャフト２０５は固定部材２０３、可動部材２０２に備えられる貫通穴２０３−ａ、２０２−ａ内へ組み込まれる。
【００２３】
２０７は、ストロボユニット収納状態においては収納方向へ、起立状態においては起立方向へ付勢するための付勢部材であるところのトグルバネである。トグルバネ２０７の一端は保持手段であるところの段付きビス２０６に掛けられ他端は可動部材２０２に備えられている突起部２０２−ｂに掛けられている。
【００２４】
段付きビス２０６は、可動部材２０２に備えられている扇形状の貫通穴を介して固定部材２０３側の穴部２０３−ｂに締結される。
【００２５】
２０４は外装部材であり、ビス２０８により両側面２０４−ａを介して保持部材２０２に備えられた２０２−ｄへ締結される。
【００２６】
３０１は可動部材２０２内のキセノン管、反射傘、トリガーコイル２０９等からデジタルカメラ本体への電気的接続をとるためのハーネスである。図２３中にあるように可動部材２０２の側面を通り可動部材２０２の回動中心近傍Ｆ部から外装部材２０４のｆ部を経由して、本体へ接続される構成となっている。このように、ハーネス類を可動部材２０２の回動中心近傍を経由させて本体に接続することにより、ストロボユニット可動時のハーネス３０１と可動部材２０２の擦れによるハーネス３０１の損傷や異音等のリスクを大きく低減できる。
【００２７】
３０３はストロボユニットの開閉を検知するためのスイッチであり、フレキシブルプリント基板３０２上に実装されている。フレキシブルプリント基板３０２は固定部材２０３に備えられている２箇所の突状部２０３−ｃにより位置決めされており、フレキシブルプリント基板３０２と固定部材２０３の当接面は両面テープ等の粘着部材により保持されている。
【００２８】
可動部材２０２に備えられた突状部２０２−ｃは、ストロボユニットの動作に伴い該ユニットの回動中心に対して円弧状に移動する。そして、ストロボユニット起立状態においてはスイッチ３０３の可動レバーを押圧し収納状態においては可動レバーから離れた位置となるような構成となっている。
【００２９】
図１１は本発明を適用したデジタルカメラの実施例における第一の外装部材ユニットを組み込む前のカメラ本体の正面斜視図。図１２は本発明を適用したデジタルカメラの実施例における第一の外装部材ユニットを組み込む前のカメラ本体の正面斜視図。図１３は本発明を適用したデジタルカメラの実施例におけるストロボユニットの本体への仮固定方法の説明図。図１４は本発明を適用したデジタルカメラの実施例におけるストロボユニットの本体への仮固定方法の説明図。図１５は本発明を適用したデジタルカメラの実施例における第一の外装部材、ストロボユニット、第二の外装部材のガイド部近傍断面図。図１６は本発明を適用したデジタルカメラの実施例における第一の外装部材、ストロボユニット、第二の外装部材の背面分解斜視図。図１７は本発明を適用したデジタルカメラの実施例における第一の外装部材、ストロボユニット、第二の外装部材の正面分解斜視図である。
【００３０】
１２１は鏡筒１０１や、電池収納室１２２などの主要内部構造物を保持するためのシャシー。
１２０−Ｆ１、１２０−Ｆ２はストロボユニットをシャシーに仮固定するための仮固定手段であり、
本実施例では段付きビスを用いている。
【００３１】
ここで前記段付きビスは、ネジ部とネジ頭部の間に所定の径の円柱部を備えており、
ストロボユニットを構成する固定部材ユニット２０３側には前記所定の径値よりも大きな径の貫通穴２０３−Ｆ１、２０３−Ｆ２が備えられている。
【００３２】
これによりストロボユニットは、請求項１記載の第一の外装部材であるところの上カバー１０２を組み付ける前の状態においてデジタルカメラ本体に対して移動可能に支持されている状態となる。
【００３３】
上カバー１０２にはガイド部であるところの突状部１０２−ｈが２つ備えられている。該上カバー１０２が本体に取り付けられる際に図１５にあるように、該突状部がストロボユニットの固定部材２０３に備えられている穴部２０３−Ｈを誘い込み、ストロボユニットを上カバーに対する所定の位置まで移動させる。ここで、前記上カバー側の突状部１０２−ｈとストロボユニット側の穴部２０３−Ｈは係合関係にある。
【００３４】
更に第二の外装部材であるところの前カバー１０３には、前記ストロボユニットの固定部材２０３に備えられている穴部２０３−Ｈと同軸上に配設された穴部１０３−Ｈが備えられており、
前記上カバー１０２が前記ストロボユニットを所定の位置まで移動させた状態で、
前記上カバー１０２に備えられた突状部１０２−ｈが該前カバー１０３側の穴部１０３−Ｈに誘い込まれ、本体に組み込まれる。ここで、前記上カバー側の突状部１０２−ｈと前カバー１０３側の穴部１０３−Ｈは係合関係にある。
【００３５】
そして前記ストロボユニット、上カバー１０２は、それぞれ２０３−ｄ、１０２−ａを介して、前カバー１０３に備えられた１０３−ａに締結される。
【００３６】
以上のような構成をとることにより、ポップアップストロボユニット、ストロボユニットに隣接する第一の外装部材、第二の外装部材、をほぼ設計所望の位置に配設することができ、
従来課題となっていたポップアップストロボユニットと外装部材の隙間の不均一といった問題だけでなく、該外装部材（第一の外装部材）と第二の外装部材の隙間・段差等といった問題を、極めて簡便な構成にて解決することができる。
【図面の簡単な説明】
【００３７】
【図１】本発明を適用したデジタルカメラの実施例におけるカメラ本体の正面図
【図２】本発明を適用したデジタルカメラの実施例におけるカメラ本体の背面図
【図３】本発明を適用したデジタルカメラの実施例におけるカメラ本体の右側面図
【図４】本発明を適用したデジタルカメラの実施例におけるカメラ本体の左側面図
【図５】本発明を適用したデジタルカメラの実施例におけるカメラ本体の上面図
【図６】本発明を適用したデジタルカメラの実施例におけるカメラ本体の底面図
【図７】本発明を適用したデジタルカメラの実施例におけるカメラ本体の正面斜視図
【図８】本発明を適用したデジタルカメラの実施例におけるカメラ本体の背面斜視図
【図９】本発明を適用したデジタルカメラの実施例におけるストロボユニット起立状態でのカメラ本体の正面図
【図１０】本発明を適用したデジタルカメラの実施例におけるストロボユニット起立状態でのカメラ本体の正面斜視図
【図１１】本発明を適用したデジタルカメラの実施例における第一の外装部材ユニットを組み込む前のカメラ本体の正面斜視図１
【図１２】本発明を適用したデジタルカメラの実施例における第一の外装部材ユニットを組み込む前のカメラ本体の正面斜視図２
【図１３】本発明を適用したデジタルカメラの実施例におけるストロボユニットの  本体への仮固定方法の説明図１
【図１４】本発明を適用したデジタルカメラの実施例におけるストロボユニットの  本体への仮固定方法の説明図２
【図１５】本発明を適用したデジタルカメラの実施例における第一の外装部材、ストロボユニット、第二の外装部材のガイド部近傍断面図
【図１６】本発明を適用したデジタルカメラの実施例における第一の外装部材、ストロボユニット、第二の外装部材の背面分解斜視図
【図１７】本発明を適用したデジタルカメラの実施例における第一の外装部材、ストロボユニット、第二の外装部材の正面分解斜視図
【図１８】本発明を適用したデジタルカメラの実施例におけるストロボユニット起立状態での正面斜視図１
【図１９】本発明を適用したデジタルカメラの実施例におけるストロボユニット起立状態での正面斜視図２
【図２０】本発明を適用したデジタルカメラの実施例におけるストロボユニット起立状態での右側面図
【図２１】本発明を適用したデジタルカメラの実施例におけるストロボユニット起立状態での左側面図
【図２２】本発明を適用したデジタルカメラの実施例におけるストロボユニットの正面分解斜視図
【図２３】本発明を適用したデジタルカメラの実施例におけるストロボユニットの背面分解斜視図
【符号の説明】
【００３８】
１０１  鏡筒
１０２  上カバー
１０３  前カバー
１０４  背面カバー
１０５  横カバー
１０６  端子カバー
１０７  ストロボ
１０８  補助光
１０９  液晶表示装置
１１０  ダイヤルユニット
１１１  ストラップ穴
１１２  ズームレバー
１１３  レリーズボタン
１１４  パワーボタン
１１５  モードダイヤル
１１６  電池蓋
１１７  電池ロックレバー
１１８  三脚穴
１１９  操作ボタン群
１２０−Ｆ１  段付きビス
１２０−Ｆ２  段付きビス
１２１  シャシー
１２２  電池収納室
１０２−ａ  穴部
１０２−ｈ  ガイド部［係合突状部］
１０３−ａ  穴部
１０３−Ｈ  係合穴部
２０１  ストロボ発光部ユニット
２０２  ストロボ可動部材
２０２−ａ  穴部
２０２−ｂ  突状部
２０２−ｃ  開閉検知スイッチ押圧部
２０２−ｄ  穴部
２０３  ストロボ固定部材
２０３−Ｆ１  穴部
２０３−Ｆ２  穴部
２０３−ａ  穴部
２０３−ｂ  穴部
２０３−ｃ  突状部
２０３−ｄ  穴部
２０３−Ｈ  係合穴部
２０４  ストロボ外装部材
２０４−ａ  穴部
２０５  ストロボ回動支持部材［シャフト］
２０６  段付きビス
２０７  付勢部材
２０８  ビス
２０９  トリガーコイル
３０１  ハーネス
３０２  フレキシブルプリント基板
３０３  開閉検知スイッチ
【図１】
2009020188.tif 000003
【図２】
2009020188.tif 000004
【図３】
2009020188.tif 000005
【図４】
2009020188.tif 000006
【図５】
2009020188.tif 000007
【図６】
2009020188.tif 000008
【図７】
2009020188.tif 000009
【図８】
2009020188.tif 000010
【図９】
2009020188.tif 000011
【図１０】
2009020188.tif 000012
【図１１】
2009020188.tif 000013
【図１２】
2009020188.tif 000014
【図１３】
2009020188.tif 000015
【図１４】
2009020188.tif 000016
【図１５】
2009020188.tif 000017
【図１６】
2009020188.tif 000018
【図１７】
2009020188.tif 000019
【図１８】
2009020188.tif 000020
【図１９】
2009020188.tif 000021
【図２０】
2009020188.tif 000022
【図２１】
2009020188.tif 000023
【図２２】
2009020188.tif 000024
【図２３】
2009020188.tif 000025